(57)【特許請求の範囲】
【請求項１】
表面長手方向に複数の略鋸歯状消波段部と波落下用開口部とを形成し、且つ、表面長手方向所要間隔でそれと直交する様に形成された連結金具嵌合用Ｕ字形凹部とを有する傾斜板と、該傾斜板の後端部から下方に延長し、中間部に段部を形成し、該段部を挟んで夫々波通過用開口部を形成した波落下面と、該波落下面の下端部から水平に延長し、且つ、一定間隔で波落下用開口部を形成した底板と、該底板の先端から直角下方に延長する垂直片と、該傾斜板の先端部から該段部に向かって一体に設けられた水平補強板と、該水平補強板の下面に一体に設けられた浮力体と、該傾斜板の両端部に一体に設けられた側板とを有する略断面傘形コース側中空体と；波落下面の後端部から延長する水平面を除いて該略断面傘形コース側中空体と同一の構成を有し、該略断面傘形コース側中空体と対称的に連結される略断面傘形岸壁側中空体と；該コース側及び岸壁側中空体との該連結金具嵌合用Ｕ字形凹部内に嵌合され、該コース側及び岸壁側中空体とを一体に連結する山形角パイプと、該山形角パイプの水平面上で長手方向に直交して一体に設けられたシリンダと、該シリンダ内に収納され、最奥部の壁に後端部が貫通固定されたボルトと、該シリンダ内に部分的に摺動自在に嵌合され、後端部が該ボルトの前端部に連結されたピストンと、後端部が該シリンダ内の最奥部の壁に固着し、該ボルトの周囲に巻回され、且つ、前端部が該ピストンの後端部に固着された圧縮スプリングと、下端が該ピストンの前端部と一体でそれと鈍角を形成するＬ字形枠体と、該鈍角Ｌ字形枠体の長手方向に一体に固着されたガード・レイルとを有し、且つ、該圧縮スプリングを介してコース側に常時付勢される緩衝部と；該シリンダ上で長手方向に一定間隔で固着されたＣ形鋼と；該略断面傘形コース側中空体と該略断面傘形岸壁側中空体とを対称的に連結して一体とされた消波体の底仮に突設された垂直片により形成された逆Ｔ字形フィンとから成る競艇場に於ける緩衝部を有する消波装置。
【請求項２】
該コース側及び該岸壁側略断面傘形中空体との底板に突設された該垂直片により形成された該逆Ｔ字形フィンの高さを、所要に応じ、調節自在として成る請求項１記載の競艇場に於ける緩衝部を有する消波装置。
【発明の詳細な説明】
【０００１】
【産業上の利用分野】
この発明は、競艇場に於ける緩衝部を有する消波装置に関し、詳しくはレ−ス艇が一斉に航走する競艇場水面に設けられている公知の消波装置よりも、大きなうねりや、小さな波をも消波可能な競艇場に於ける緩衝部を有する消波装置に関する。
【０００２】
【従来の技術】
競艇場に於ては、競争水面を６隻のレ−ス艇が約８０ｋｍ／ｈの高速度で楕円形を描きながら所要回数一斉に航走して競争する。従って、これらレ−ス艇が航走して造波する引き波の外に、風等の自然条件により発生する波が岸壁、その他の競艇場内の機器に衝突し、跳ね返って来た返し波等により各レ−ス艇の航走の障害となり、各レ−ス艇の転覆の原因となる場合がある。
【０００３】
前述の通り、各レ−ス艇は、約８０ｋｍ／ｈの高速度で航走するので、コ−ナ部のタ−ンの際各レ−ス艇は横滑りして岸壁、ポ−ル、塔、その他の機器に衝突したり、又安定を失ってレ−ス艇から投出された選手は、岸壁又はこれらの機器に衝突して負傷し、最悪の場合は死亡事故に至る事がある。
【０００４】
（１）公知の競艇場に於ける消波装置に於いては、図１３に示す通り、断面三角形競争水面側消波本体と、断面三角形岸壁側消波本体とを連結金具を介して連結して形成されたＵ字形消波空間内に、該競争水面側消波本体表面板を乗越えて来た波を該Ｕ字形消波空間内に落下させ、該Ｕ字形消波空間内に落下させて巻き込みながら消波させ、該Ｕ字形消波空間の底部に設けられた消波開口部から水中に導き、それでも消波されない波を該断面三角形岸壁側消波本体の表面板を乗越えて来た波と共に岸壁側に導いている。
【０００５】
（２）前述の該断面三角形競争水面側消波本体と、該断面三角形岸壁側消波本体とを連結して組立てた消波装置の各ブロックは、長手方向に比較的短く製作されていた。
【０００６】
（３）そして、該消波装置の該断面三角形競争水面側消波本体に設けられる緩衝部は、三角形の緩衝部取付金具を介して固着している。
【０００７】
【発明が解決しようとする課題】
前述の通り、公知の消波装置に於ては、次の様な諸欠点が生じた。
（１）前述の通り、公知の競艇場に於ける消波装置（特公昭５４−３５８０９号、同６１−３９８３３号、発明者浜村敏夫、この発明者の亡兄）に於ては、図１３に示す通り、断面三角形競争水面側消波本体と、断面三角形岸壁側消波本体とを連結金具を介して連結して形成されたＵ字形消波空間内に、該競争水面側消波本体の表面板を乗越えて来た波を該Ｕ字形消波空間内に落下させて巻込みながら消波させ、該Ｕ字形消波空間の底部に設けられた消波開口部から水中に導き、それでも消波されない波を該断面三角形岸壁側消波本体の表面板を乗越えて来た波を岸壁側に導いている。
しかし、部品を連結パイプ、連結金具等を介して一体に連結する構成なので、構造的に弱点があり、部品点数が増加し、その結果製造工程が複雑となり、所望競艇場への運搬、競争水面上での組立、取付工事等が厄介で非能率であった。
【０００８】
（２）又、公知の競艇場に於ける消波装置に於ては、コ−ス側及び該岸壁側略断面三角形形中空体との間に、Ｕ字形消波空間が形成されるので、波の抵抗を受け易く、大きなうねりは当然のこと、小さな波でも揺れて充分な消波効果が得られなかった。
【０００９】
（３）更に、公知の競艇場に於ける消波装置は、図１３に示す通り、緩衝部がコース側略断面三角形中空体の傾斜面から延長する様に設けられているので、競争水面のコースから外れたレース艇が該緩衝部に衝突した場合、斜め上方に導かれるのでレース艇の安定性が損なわれ、効果的な緩衝効果が得られなかった。
【００１０】
（４）加えて、公知の消波装置の連結部が多く、その連結部が脆弱となるので、その部分を補強する必要があった。
【００１１】
【発明を解決するための手段】
この発明は、前述の公知の競艇場の消波装置の諸欠点を除去するもので、その第１要旨は、表面長手方向に複数の略鋸歯状消波段部と波落下用開口部とを形成し、且つ、表面長手方向所要間隔でそれと直交する様に形成された連結金具嵌合用Ｕ字形凹部とを有する傾斜板と、該傾斜板の後端部から下方に延長し、中間部に段部を形成し、該段部を挟んで夫々波通過用開口部を形成した波落下面と、該波落下面の下端部から水平に延長し、且つ、一定間隔で波落下用開口部を形成した底板と、該底板の先端から直角下方に延長する垂直片と、該傾斜板の先端部から該段部に向かって一体に設けられた水平補強板と、該水平補強板の下面に一体に設けられた浮力体と、該傾斜板の両端部に一体に設けられた側板とを有する略断面傘形コース側中空体と；波落下面の後端部から延長する水平面を除いて該略断面傘形コース側中空体と同一の構成を有し、該略断面傘形コース側中空体と対称的に連結される略断面傘形岸壁側中空体と；該コース側及び岸壁側中空体との該連結金具嵌合用Ｕ字形凹部内に嵌合され、該コース側及び岸壁側中空体とを一体に連結する山形角パイプと、該山形角パイプの水平面上で長手方向に直交して一体に設けられたシリンダと、該シリンダ内に収納され、最奥部の壁に後端部が貫通固定されたボルトと、該シリンダ内に部分的に摺動自在に嵌合され、後端部が該ボルトの前端部に連結されたピストンと、後端部が該シリンダ内の最奥部の壁に固着し、該ボルトの周囲に巻回され、且つ、前端部が該ピストンの後端部に固着された圧縮スプリングと、下端が該ピストンの前端部と一体でそれと鈍角を形成するＬ字形枠体と、該鈍角Ｌ字形枠体の長手方向に一体に固着されたガード・レイルとを有し、且つ、該圧縮スプリングを介してコース側に常時付勢される緩衝部と；該シリンダ上で長手方向に一定間隔で固着されたＣ形鋼と；該略断面傘形コース側中空体と該略断面傘形岸壁側中空体とを対称的に連結して一体とされた消波体の底板に突設された垂直片により形成された逆Ｔ字形フィンとから成る競艇場に於ける緩衝部を有する消波装置である。
【００１２】
その第２要旨は、該コース側及び該岸壁側略断面傘形中空体との底板に突設された該垂直片により形成された該逆Ｔ字形フィンの高さを、所要に応じ、調節自在として成る競艇場に於ける緩衝部を有する消波装置である。
【００１３】
前述の通り、公知の消波装置に於ける断面三角形岸壁側消波本体の底部に形成されるＵ字形消波空間を形成していた。この特許出願に係る発明に於ては、このＵ字形消波空間を廃止し、同一の構成を有するコ−ス側及び岸壁側略断面傘形中空体とを対称的に連結して設けられる消波体とし、その略鋸歯状消波段部と波落下用開口部とにより該コ−ス側略断面傘形中空体内に導びき、水中に落下させて消波し、大きな波（うねり）と小さな波とを効果的に消波する競艇場に於ける緩衝部を有する消波装置である。
【００１４】
【実施例】
特許請求の範囲の各請求項記載の発明の実施例を図面について説明する。図１〜１０に於て、請求項１記載の競艇場に於ける緩衝部を有する消波装置１０は、略断面傘形コ−ス側中空体Ａと、略断面傘形岸壁側中空体Ｂとから成る。
【００１５】
略断面傘形コース側中空体Aは、ガラス繊維強化プラスチック製傾斜板１２の表面長手方向に複数の略鋸歯状消波段部１２aと波落下用開口部１２bとを形成し、且つ、表面長手方向で所要間隔にそれと直交する様に連結金具嵌合用U字形凹部１２dを形成し、該中空体A、Bの両面に側板１２e、１２eを一体に設ける。
【００１６】
該傾斜板１２の後端部から下方に延長して波落下面１４を形成し、該波落下面１４の中間部に段部１４ａを挟んで夫々波通過用開口部１４ｂ、１４ｂを形成する。
【００１７】
該波落下面１４から波落下用開口部１６ａを形成した底板１６を水平に設け、該底板１６の先端から直角下方に延長する様に垂直片１８を一体に設け、該底板１６に一定間隔で波落下用開口部１６ａ、１６ａを形成する。
【００１８】
該傾斜板１２の先端部から該段部１６に向って延長して水平補強板２０を一体に設け、該水平補強板２０の下面に発泡ウレタン樹脂製浮力体２２を一体に設けて略断面傘形コ−ス側中空体Ａとし、該傾斜板１２、該水平補強板２０及び該波落下面１４とにより三角形の空間を有する波導入空間部Ｅとする。
【００１９】
図２、５〜８に示す通り、波落下面１４の後端部から延長する水平面１２ｃを除いて該略断面傘形コ−ス側消波体Ａと同一の構成を有し、それと対称的に連結される略断面傘形岸壁側中空体Ｂを別途製作し、前者と後者とを対称的に配置し、前者の該垂直片１８と後者の該垂直片１８とを接触させ、これら垂直片１８、１８の先端にＬ字形鋼１９、１９を接触させ、これら部材に穿設した貫通口１８ａ、１８ａ、１９ｂ、１９ｂ内にボルト１８ｂを貫通し、ナット１８ｃを螺合して両者を連結して消波体の底面に突出された該垂直片１８、１８により逆Ｔ字形フィンＣとし、該波落下面１４、１４との間に消波空間Ｄを形成する。
【００２０】
図１、５〜７に於て、該略断面傘形コ−ス側中空体Ａと、該略断面傘形岸壁側中空体Ｂとの連結金具嵌合用Ｕ字形凹部１２ｄ、１２ｄ・・内に、山形角パイプ２４を嵌合して該略断面傘形コ−ス側及び岸壁側中空体Ａ、Ｂとに固着し、該各山形角パイプ２４の水平面２４ａ上に設けられる緩衝部Ｆを説明する。
【００２１】
具体的には、該各山形角パイプ２４の該水平面上２４ａで長手方向に直交してシリンダ２６を一体に設け、該シリンダ２６内の最奥部の壁２６ａの貫通口２６ｂに、該シリンダ２６内に収納したボルト２８の後端部を貫通して外側に導びき、その露出端にナット２８ａを螺合して該壁２６ａに該ボルト２８の後端部を固着し、該ボルト２８の周囲に巻回された圧縮スプリング２８ｂの後端部を該壁２６ａに固着し、その前端部を該シリンダ２６内に摺動自在に嵌合されたピストン３０の後端部に固着し、該ピストン３０の前端部と一体で、且つ、コ−ス側に突出し、それと鈍角を形成するＬ字形枠体３２の長手方向に一体にガ−ド・レイル３４を固着し、該圧縮スプリング２８ｂを介して該ガ−ド・レイル３４を有する該Ｌ字形枠体３２を常時コ−ス側に付勢される緩衝部Ｆとする。
【００２２】
所要数の該消波装置１０を長手方向に並べ、該シリンダ２６、２６上で一定間隔でＣ形鋼３６、３６を固着して接続する。
【００２３】
該傾斜板１２の下側、該波落下面１４の裏側及び該水平補強板２０の上面とで三角形の空間を有する波導入空間部Ｅを形成し、該波通過用開口部１４ｂ、１４ｂから排出されない波を該略断面傘形コ−ス側中空体Ａの長手方向両端に導びかれ、水中に落下されて消波される。
【００２４】
更に、該消波空間Ｄに於て、該底板１６の該波落下用開口部１６ａ、１６ａ・・から水中に落下して消波されるが、消波されない波は該波導入空間部Ｅに導かれて該水平補強板２０の長手方向に導かれて水中に落下して消波される。
【００２５】
図９、１０に於て、請求項２記載の緩衝部を有する消波装置１０に於ては、競艇場の水深に応じて該コ−ス側及び該岸壁側略断面傘形中空体Ａ、Ｂの底面に突出された該垂直片１８、１８により形成される該逆Ｔ字形フィンＣの高さを調節する必要がある場合は、該垂直片１８、１８の先端に所要の長さを有するＬ字形鋼１９、１９を接触させ、これら部材に穿設した貫通口１８ａ、１８ａ、１９ｂ、１９ｂ内にボルト１８ｂを貫通し、ナット１８ｃを螺合して該逆Ｔ字形フィンＣの高さを調節する。
【００２６】
【発明の作用】
前述の構成を有するこの発明の競艇場に於ける緩衝部を有する消波装置１０は、波落下面の後端部から延長する水平面を除いて同一な構成を有するコ−ス側及び岸壁側略断面傘形中空体とを対称的に連結して設けられる消波装置の底部に形成されたＵ字形消波空間を廃止し、略鋸歯状消波段部と波落下用開口部とにより該コ−ス側略断面傘形中空体内に導びき、水中に落下させ消波し、大きな波（うねり）と小さな波とを効果的に消波する競艇場に於ける緩衝部を有する消波装置である。
【００２７】
【発明の効果】
（１）前述の通り、この発明の競艇場に於ける緩衝部を有する消波装置１０は、波落下面１４の後端部から延長する水平面１２ｃを除いて、コ−ス側と岸壁側との略断面傘形中空体Ａ、Ｂとが同一の構成を有するものであるから、製作の際の金型の製作が容易となるので、従って製作、運搬、組立等も極めて容易となる。
【００２８】
（２）そして、図１１、１２に示す通り、競艇場のコ−ス側水面からの波は、該コ−ス側略断面傘形中空体Ａの該傾斜板１２の表面長手方向に複数の略鋸歯状消波段部１２ａ、１２ａの抵抗により部分的に消波され、該波落下用開口部１２ｂ、１２ｂから該傾斜板１２の下側に導かれ、且つ、該水平補強板２０からその長手方向に導かれて水中に落下して消波され、更に該波通過用開口部１４ｂから該波落下面１４を経て底部に落下し、且つ、該傾斜板１２の表面を越えた波も該波落下面１４を経て底部に落下して消波される。
【００２９】
（３）更に、該傾斜板１２の下側、該波落下面１４の裏側及び該水平補強板２０の上面とで形成された該波導入空間部Ｅに於て、該波通過用開口部１４ｂ、１４ｂから排出されない波は、該略断面傘形コ−ス側中空体Ａの長手方向両端に導びかれて水中に落下させて消波される。
【００３０】
（４）しかも、該コ−ス側略断面傘形中空体Ａによっても消波されず、該略断面傘形中空体Ｂを越える波は、該傾斜板１２によって消波され、前記（２）、（３）記載の通り、該波通過用開口部１４ｂから該三角形波導入空間部Ｅ内に導かれた波も、該略断面傘形岸壁側中空体Ｂの長手方向両端に導びかれ、水中に落下して消波される。
【００３１】
（５）公知の消波装置の底部に突設状態で形成されたＵ字形消波空間を廃止したので、従来コ−ス側水面から受けるうねりの抵抗が少なくなる。
【００３２】
（６）加えて、競艇場の水深に応じて該コ−ス側及び該岸壁側略断面傘形中空体Ａ、Ｂの底面に突出された該垂直片１８、１８により形成される該逆Ｔ字形フィンＣの高さを調節する必要がある場合、該逆Ｔ字形フィンＣの該ボルト１８ｂを外して、所要の高さを有するＬ字形鋼１９ａと交換して再び螺合すれば、極めて容易に交換可能となり、該逆Ｔ字形フィンＣの高さ調節も容易となる。
【００３３】
（７）コーナ部のターンの際レース艇は横滑りして該緩衝部Fに衝突した場合、公知の緩衝部fに相違して該緩衝部Fが該圧縮スプリング２８bにより常時コース側に付勢されているので、水平に作動してレース艇へ加わる衝撃が吸収され、該レース艇が復帰し、その安定性が損なわれるので操縦している選手の安全を図ることが出来る。
【００３４】
（８）更に、該逆Ｔ字形フィンＣが船舶特にボ−トに於けるセンタ−・ボ−ド又はウエイト・バランサとして機能するので浮遊状態で設けられる消波装置１０の安定に役立つものである。
【図面の簡単な説明】
【図１】この発明に係る競艇場に於ける緩衝部を有する消波装置の一部切欠部分透視平面略図である。
【図２】図１に示す消波装置の右側面略図である。
【図３】図１に示す緩衝部を取除いた消波装置を横に連結し、所要箇所で切断した状態を示す一部切欠部分透視平面略図である。
【図４】図３図に示す消波装置を上側から見た部分正面略図である。
【図５】図４に示す消波装置のＶ−Ｖ線一部切欠部分透視拡大断面略図である。
【図６】図１に示す緩衝部を有する消波装置のＶ１−Ｖ１線一部切欠部分透視拡大断面略図である。
【図７】図１に示す緩衝部を有する消波装置のＶ１１−Ｖ１１線一部切欠部分透視拡大断面略図である。
【図８】図１に示す消波装置の略断面傘形岸壁側中空体の平面図である。
【図９】図７に示す逆Ｔ字形フィンの部分拡大断面略図である。
【図１０】図９に示す他の逆Ｔ字形フィンの部分拡大断面略図である。
【図１１】消波装置内で導かれる波の運動方向を示す略図である。
【図１２】図１１に示す波の運動方向を示す略斜視図である。
【図１３】従来の競艇場に於ける緩衝部を有する消波装置の側面図である。
【符号の説明】
１０・・・消波装置；
Ａ・・・略断面傘形コ−ス側中空体；
Ｂ・・・略断面傘形岸壁側中空体；
Ｃ・・・逆Ｔ字形フィン；
Ｄ・・・消波空間；
Ｅ・・・三角形の空間を有する波導入空間部；
Ｆ・・・緩衝部；
１２・・・傾斜板；
１２ａ・・・略鋸歯状消波段部；
１２ｂ・・・波落下用開口部；
１２ｃ・・・水平面；
１２ｄ・・・連結金具嵌合用Ｕ字形凹部；
１２ｅ・・・側板；
１４・・・波落下面；
１４ａ・・・段部；
１４ｂ・・・波通過用開口部；
１６・・・底板；
１６ａ・・・波落下用開口部；
１８・・・垂直片；
１９、１９ａ・・・Ｌ字形鋼；
２０・・・水平補強板；
２２・・・浮力体；
２４・・・山形角パイプ；
２６・・・シリンダ；
２８・・・ボルト；
２８ｂ・・・圧縮スプリング；
３０・・・ピストン；
３２・・・Ｌ字形枠体；
３４・・・ガ−ド・レイル；
３６・・・Ｃ形鋼。
【図１】
0003554964.tif 000002
【図２】
0003554964.tif 000003
【図３】
0003554964.tif 000004
【図４】
0003554964.tif 000005
【図５】
0003554964.tif 000006
【図６】
0003554964.tif 000007
【図７】
0003554964.tif 000008
【図８】
0003554964.tif 000009
【図９】
0003554964.tif 000010
【図１０】
0003554964.tif 000011
【図１１】
0003554964.tif 000012
【図１２】
0003554964.tif 000013
【図１３】
0003554964.tif 000014